(57)【要約】本開示のある特定の態様は、アップリンク送信に対して使用されたリソースの選択を介して情報をシグナリングするための方法および装置を提案する。本態様は、アップリンクチャネルを送信するために使用された１つまたは複数のサイクリックシフトまたは直交カバーコードを選択することを含みうる。１つまたは複数のサイクリックシフトまたは直交カバーコードは、情報を伝達するために選択されうる。この情報は、選択されたサイクリックシフトまたは直交カバーコードを使用してアップリンクチャネルを送信することによって伝達されうる。【選択図】図４
2016519912.tif 000002
【特許請求の範囲】
【請求項１】
ユーザ機器（ＵＥ）によるワイヤレス通信のための方法であって、
アップリンクチャネルを送信するために使用される１つまたは複数のサイクリックシフトまたは直交カバーコードを選択することと、ここにおいて、前記１つまたは複数のサイクリックシフトまたは直交カバーコードは、情報を伝達するために選択される、
前記選択されたサイクリックシフトまたは直交カバーコードを使用して前記アップリンクチャネルを送信することによって前記情報を伝達することと
を備える、方法。
【請求項２】
前記サイクリックシフトまたは直交カバーコードは、前記アップリンクチャネルで明示的に伝達されない情報を暗黙的に伝達するために選択される、請求項１に記載の方法。
【請求項３】
前記選択することは、少なくとも１つのサイクリックシフトと少なくとも１つの直交カバーコードとの組み合わせを選択することを備える、請求項１に記載の方法。
【請求項４】
前記情報は、前記ＵＥにおける干渉条件に関する情報を備える、請求項１に記載の方法。
【請求項５】
前記情報は、前記ＵＥにおける干渉条件の変化に関する情報を備える、請求項１に記載の方法。
【請求項６】
前記情報は、前記ＵＥにおけるアンテナ選択に関する情報を備える、請求項１に記載の方法。
【請求項７】
前記情報は、特定のワイヤレスプロトコルのために前記ＵＥによって利用される複数のアンテナに関する情報を備える、請求項６に記載の方法。
【請求項８】
前記情報は、チャネル状態情報（ＣＳＩ）に関する情報を備える、請求項１に記載の方法。
【請求項９】
前記情報は、好ましい時分割複信（ＴＤＤ）構成に関する情報を備える、請求項１に記載の方法。
【請求項１０】
前記情報は、ノードの検出に関する情報を備える、請求項１に記載の方法。
【請求項１１】
前記情報は、送信電力レベルに関する情報を備える、請求項１に記載の方法。
【請求項１２】
前記情報は、トラフィック対パイロット比（ＴＰＲ）に関する情報を備える、請求項１１に記載の方法。
【請求項１３】
前記情報は、送信時間間隔（ＴＴＩ）バンドルサイズに関する情報を備える、請求項１に記載の方法。
【請求項１４】
前記情報は、アップリンク（ＵＬ）送信の冗長バージョン（ＲＶ）に関する情報を備える、請求項１に記載の方法。
【請求項１５】
前記選択することは、対応する情報へのサイクリックシフトまたは直交カバーコードのマッピングを参照することを備える、請求項１に記載の方法。
【請求項１６】
基地局から前記マッピングを示すシグナリングを受信することをさらに備える、請求項１５に記載の方法。
【請求項１７】
前記シグナリングは、上位レイヤシグナリングを備える、請求項１６に記載の方法。
【請求項１８】
前記シグナリングは、永続的または半永続的なリソースの初期の許可を介したシグナリングを備える、請求項１６に記載の方法。
【請求項１９】
前記マッピングは、予め定義される、請求項１５に記載の方法。
【請求項２０】
前記情報は、前記ＵＥによって選択された送信レートに関する情報を備える、請求項１に記載の方法。
【請求項２１】
前記情報は、仮想セル識別子（ＶＣＩ）に関する情報を備える、請求項１に記載の方法。
【請求項２２】
前記情報は、前記ＵＥによって選択された特定のコーディングタイプに関する情報を備える、請求項１に記載の方法。
【請求項２３】
前記サイクリックシフトまたは直交カバーコードは、復調基準信号（ＤＭ−ＲＳ）サイクリックシフトまたは物理アップリンク制御チャネル（ＰＵＣＣＨ）サイクリックシフトのうちの少なくとも１つを備える、請求項１に記載の方法。
【請求項２４】
前記アップリンクチャネルは、サウンディング基準信号（ＳＲＳ）を備える、請求項１に記載の方法。
【請求項２５】
ユーザ機器（ＵＥ）によるワイヤレス通信のための装置であって、
アップリンクチャネルを送信するために使用される１つまたは複数のサイクリックシフトまたは直交カバーコードを選択するための手段と、ここにおいて、前記１つまたは複数のサイクリックシフトまたは直交カバーコードは、情報を伝達するために選択される、
前記選択されたサイクリックシフトまたは直交カバーコードを使用して前記アップリンクチャネルを送信することによって前記情報を伝達するための手段と
を備える、装置。
【請求項２６】
前記サイクリックシフトまたは直交カバーコードは、前記アップリンクチャネルで明示的に伝達されない情報を暗黙的に伝達するために選択される、請求項２５に記載の装置。
【請求項２７】
ユーザ機器（ＵＥ）によるワイヤレス通信のための装置であって、
アップリンクチャネルを送信するために使用される１つまたは複数のサイクリックシフトまたは直交カバーコードを選択することと、ここにおいて、前記１つまたは複数のサイクリックシフトまたは直交カバーコードは、情報を伝達するために選択される、
前記選択されたサイクリックシフトまたは直交カバーコードを使用して前記アップリンクチャネルを送信することによって前記情報を伝達することと、を行うよう構成された少なくとも１つのプロセッサと、
前記少なくとも１つのプロセッサと結合されたメモリと
を備える、装置。
【請求項２８】
前記サイクリックシフトまたは直交カバーコードは、前記アップリンクチャネルで明示的に伝達されない情報を暗黙的に伝達するために選択される、請求項２７に記載の装置。
【請求項２９】
ユーザ機器（ＵＥ）によるワイヤレス通信のためのプログラム製品であって、
アップリンクチャネルを送信するために使用される１つまたは複数のサイクリックシフトまたは直交カバーコードを選択することと、ここにおいて、前記１つまたは複数のサイクリックシフトまたは直交カバーコードは、情報を伝達するために選択される、
前記選択されたサイクリックシフトまたは直交カバーコードを使用して前記アップリンクチャネルを送信することによって前記情報を伝達することと
のための命令を記憶したコンピュータ可読媒体を備える、
プログラム製品。
【請求項３０】
前記サイクリックシフトまたは直交カバーコードは、前記アップリンクチャネルで明示的に伝達されない情報を暗黙的に伝達するために選択される、請求項２９に記載のプログラム製品。
【発明の詳細な説明】
【関連出願の相互参照】
【０００１】
[0001] 本特許出願は、２０１３年４月１７日に出願された、米国仮特許出願第６１／８１３，０８５号の優先権を主張し、本願の譲受人に譲渡され、その全体が本明細書における参照により本明細書において明確に組み込まれる。
【技術分野】
【０００２】
[0002] 本開示のある特定の実施形態は概して、ワイヤレス通信に関し、より詳細には、シグナリングのために未使用の（unused）アップリンク（ＵＬ）シーケンスシフト（sequence shifts）を利用することに関する。
【背景技術】
【０００３】
[0003] ワイヤレス通信システムは、音声、データ、等のような様々なタイプの通信コンテンツを提供するために広く展開されている。これらのシステムは、利用可能なシステムリソース（例えば、帯域幅および送信電力）を共有することによって多数のユーザとの通信をサポートすることが可能な多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および直交周波数分割多元接続（ＯＦＤＭＡ）システムを含む。
【０００４】
[0004] 一般的に、ワイヤレス多元接続通信システムは、複数のワイヤレス端末のための通信を同時にサポートすることができる。各端末は、順方向および逆方向リンク上での送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、複数入力単一出力、または複数入力複数出力（ＭＩＭＯ）システムを介して確立されうる。
【０００５】
[0005] ＭＩＭＯシステムは、データ送信のために複数（ＮＴ個）の送信アンテナと複数（ＮＲ個）の受信アンテナとを用いる。ＮＴ個の送信アンテナとＮＲ個の受信アンテナとによって形成されたＭＩＭＯチャネルは、ＮＳ個の独立チャネルに分解されうるが、それらは空間チャネルとも呼ばれ、ここにおいて、ＮＳ≦ｍｉｎ｛ＮＴ，ＮＲ｝である。ＮＳ個の独立チャネルの各々は、次元に対応する。複数の送信アンテナと受信アンテナとによって生成された追加の次元が利用される場合、ＭＩＭＯシステムは、改善された性能（例えば、より高いスループットおよび／またはより大きな信頼性）を提供することができる。
【０００６】
[0006] ＭＩＭＯシステムは、時分割複信（ＴＤＤ）システムおよび／または周波数分割複信（ＦＤＤ）システムをサポートし得る。ＴＤＤシステムにおいて、順方向および逆方向リンク送信は、相反原理（reciprocity principle）が逆方向リンクチャネルからの順方向リンクチャネルの推定を可能にするように同一の周波数領域上におけるものである。これは、複数のアンテナが基地局において利用可能である場合に基地局が順方向リンク上で送信ビームフォーミング利得を抽出することを可能にする。ＦＤＤシステムにおいて、順方向および逆方向リンク送信は、異なる周波数領域上におけるものである。
【０００７】
[0007] 従来のＬＴＥ設計の主な焦点は、スペクトル効率の改善、ユビキタスカバレッジ（ubiquitous coverage）、強化されたサービス品質（ＱｏＳ）サポート、等に対するものである。これは典型的に、最先端のスマートフォン、タブレット、等のような、高性能デバイスに帰結する。しかしながら、低コスト、低レートのデバイスもサポートされる必要がある。いくつかの市場予測（market projection）は、低コストのデバイスの数が今日の携帯電話の数を大きく上回りうることを示している。
【発明の概要】
【０００８】
[0008] 本開示のある特定の態様は、ユーザ機器（ＵＥ）によるワイヤレス通信のための方法を提供する。本方法は概して、アップリンクチャネルを送信するために使用される１つまたは複数のサイクリックシフト（cyclic shifts）または直交カバーコード（orthogonal cover codes）を選択することと、ここにおいて、１つまたは複数のサイクリックシフトまたは直交カバーコードは、情報を伝達するために選択される、選択されたサイクリックシフトまたは直交カバーコードを使用してアップリンクチャネルを送信することによって情報を伝達することと、を含む。
【０００９】
[0009] 本開示のある特定の態様は、基地局（ＢＳ）によるワイヤレス通信のための方法を提供する。本方法は概して、アップリンクチャネルを送信するためにユーザ機器（ＵＥ）によって使用された１つまたは複数のサイクリックシフトまたは直交カバーコードを検出することと、検出されたサイクリックシフトまたは直交カバーコードに基づいて、アップリンクチャネルで伝達される情報を識別することと、を含む。
【００１０】
[0010] 本開示のある特定の態様はまた、上記の方法を遂行するための様々な装置およびプログラム製品を提供する。
【図面の簡単な説明】
【００１１】
[0011] 本開示の上述された特徴が詳細に理解されることができるように、上記で簡潔に要約されたより詳細な説明は、複数の態様への参照によりなされ得、それらのうちのいくつかは、添付された図面内において例示される。しかしながら、添付された図面は、本開示のある特定の典型的な態様のみを例示しており、したがって、その説明が他の同等に効果的な態様を認めうるため、それの範囲を限定するものと考えられるべきではないことに留意されたい。
【図１】本開示のある特定の態様にしたがってワイヤレス通信ネットワークを例示する。
【図２】本開示のある特定の態様にしたがってワイヤレス通信ネットワークにおけるフレーム構成を例示する。
【図２Ａ】本開示のある特定の態様にしたがってロングタームエボリューション（ＬＴＥ）におけるアップリンクのための実例的なフォーマットを示す。
【図３】本開示のある特定の態様にしたがってワイヤレス通信ネットワークにおいてユーザ機器（ＵＥ）と通信するノードＢの例を例示する。
【図４】本開示のある特定の態様にしたがって、ユーザ機器（ＵＥ）によって遂行されうる実例的な動作を例示する。
【図５】本開示のある特定の態様にしたがって、基地局（ＢＳ）によって遂行されうる実例的な動作を例示する。
【詳細な説明】
【００１２】
[0018] 様々な態様が、これから図面を参照して説明される。次の説明において、説明の目的のために、１つまたは複数の態様の完全な理解を提供するために数多くの具体的な詳細が記載される。しかしながら、そのような態様がこれらの具体的な詳細なしに実施されうることは明白でありうる。
【００１３】
[0019] 本出願内において使用される場合、「コンポーネント」、「モジュール」、「システム」、等の用語は、ハードウェア、ソフトウェア／ファームウェア、ハードウェアとソフトウェア／ファームウェアとの組み合わせ、または実行中のソフトウェア／ファームウェアに限定されるものではないが、それらのようなコンピュータ関連エンティティを含むよう意図される。例えば、コンポーネントは、プロセッサ上において走行するプロセス、プロセッサ、オブジェクト、実行可能ファイル、実行スレッド、プログラムおよび／またはコンピュータでありうるが、それらに限定されるわけではない。例示として、計算デバイス上において走行するアプリケーションおよび計算デバイスの両方は、コンポーネントであることができる。１つまたは複数のコンポーネントは、プロセスおよび／または実行スレッド内において存在することができ、コンポーネントは、１つのコンピュータ上においてローカライズされ、および／または２つ以上のコンピュータの間で分散されうる。加えて、これらのコンポーネントは、様々なデータ構造を記憶した様々なコンピュータ可読媒体から実行することができる。コンポーネントは、信号を介して他のシステムと、インターネットのようなネットワークにわたって、および／またはローカルシステム、分配されたシステム内の別のコンポーネントと相互作用する１つのコンポーネントからのデータのような、１つまたは複数のデータパケットを有する信号にしたがうことなどによってローカルおよび／または遠隔処理を介して、通信し得る。
【００１４】
[0020] さらに、様々な態様が端末に関連して本明細書において説明され、端末は、ワイヤード端末またはワイヤレス端末であることができる。端末はまた、システム、デバイス、加入者ユニット、加入者局、モバイル局、モバイル、モバイルデバイス、遠隔局、遠隔端末、アクセス端末、ユーザ端末、通信デバイス、ユーザエージェント、ユーザデバイス、またはユーザ機器（ＵＥ）と呼ばれることができる。ワイヤレス端末は、セルラ電話、衛星電話、コードレス電話、セッション開始プロトコル（ＳＩＰ）電話、スマートフォン、タブレット、ウルトラブック、ネットブック、スマートブック、ワイヤレスローカルループ（ＷＬＬ）局、携帯情報端末（ＰＤＡ）、ワイヤレス接続機能を有するハンドヘルドデバイス、計算デバイス、またはワイヤレスモデムに接続された他の処理デバイスでありうる。その上、様々な態様が基地局に関連して本明細書において説明される。基地局は、ワイヤレス端末と通信するために利用され、また、アクセスポイント、ノードＢ、または何らかの他の用語で呼ばれうる。
【００１５】
[0021] その上、「または／あるいは／もしくは（or）」という用語は、排他的な「または／あるいは／もしくは」というよりはむしろ包括的な「または／あるいは／もしくは」を意味するよう意図される。すなわち、そうではないと規定されていない、またはコンテキストから明らかでない限り、「ＸはＡまたはＢを用いる」という句は、自然な包括的置換のうちのいずれかを意味するよう意図される。すなわち、「ＸはＡまたはＢを用いる」という句は、ＸはＡを用いる、ＸはＢを用いる、またはＸはＡおよびＢの両方を用いる、という例のうちのいずれかによって満たされる。加えて、本願および添付された特許請求の範囲内において使用される冠詞「ａ」および「ａｎ」は概して、そうではないと規定されていない、または単数形を対象とすることがコンテキストから明らかでない限り、「１つまたは複数」を意味するよう解釈されるべきである。
【００１６】
[0022] 本明細書において説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等のような様々なワイヤレス通信ネットワークのために使用されうる。「ネットワーク」および「システム」という用語は、交換可能に使用されることが多い。ＣＤＭＡネットワークは、ユニバーサル地上無線アクセス（ＵＴＲＡ）、ＣＤＭＡ２０００、等のような無線技術を実装しうる。ＵＴＲＡは、広帯域ＣＤＭＡ（Ｗ−ＣＤＭＡ（登録商標））を含む。ＣＤＭＡ２０００は、ＩＳ−２０００、ＩＳ−９５およびＩＳ−８５６規格をカバーする。ＴＤＭＡネットワークは、移動体通信のためのグローバルシステム（ＧＳＭ（登録商標））のような無線技術を実装しうる。
【００１７】
[0023] ＯＦＤＭＡネットワークは、発展型ＵＴＲＡ（Ｅ−ＵＴＲＡ）、米国電気電子学会(ＩＥＥＥ)８０２.１１、ＩＥＥＥ８０２.１６、ＩＥＥＥ８０２.２０、フラッシュＯＦＤＭ（登録商標）、等のような無線技術を実装しうる。ＵＴＲＡ、Ｅ−ＵＴＲＡ、およびＧＳＭ（登録商標）は、ユニバーサルモバイル電気通信システム（ＵＭＴＳ）の一部である。ロングタームエボリューション（ＬＴＥ）は、Ｅ−ＵＴＲＡを使用するＵＭＴＳの最近のリリースである。ＵＴＲＡ、Ｅ−ＵＴＲＡ、ＧＳＭ（登録商標）、ＵＭＴＳおよびＬＴＥは、「第３世代パートナーシッププロジェクト」（３ＧＰＰ）という名称の団体からの文書内において説明されている。ＣＤＭＡ２０００は、「第３世代パートナーシッププロジェクト２」（３ＧＰＰ２）という名称の団体からの文書内において説明されている。これらの様々な無線技術および規格は、当該技術分野において知られている。明確さのために、本技法のある特定の態様は、ＬＴＥ／ＬＴＥ−アドバンスド（ＬＴＥ−Ａ）について以下において説明されており、ＬＴＥ／ＬＴＥ−Ａの専門用語が以下の説明の大部分において使用されている。ＬＴＥの専門用語は例示の目的で使用され、開示の範囲はＬＴＥに限定されないことに留意されたい。むしろ、本明細書において説明される技法は、パーソナルエリアネットワーク（ＰＡＮ）、ボディエリアネットワーク（ＢＡＮ）、ロケーション、Ｂｌｕｅｔｏｏｔｈ（登録商標）、全地球測位システム（ＧＰＳ）、超広帯域（ＵＷＢ）、無線周波数識別（ＲＦＩＤ）、等のような、ワイヤレス送信を伴う様々なアプリケーションで利用されうる。さらに、技法はまた、ケーブルモデム、ファイバベースのシステム、等のようなワイヤードシステムで利用されうる。
【００１８】
[0024] シングルキャリア変調および周波数ドメイン等化を利用するシングルキャリア周波数分割多元接続（ＳＣ−ＦＤＭＡ）は、ＯＦＤＭＡシステムのものと同様の性能および本質的に同じ全体的な複雑性を有する。ＳＣ−ＦＤＭＡ信号は、それの固有のシングルキャリア構造のために、より低いピーク対平均電力比（ＰＡＰＲ）を有しうる。ＳＣ−ＦＤＭＡは、送信電力効率の観点において、より低いＰＡＰＲがモバイル端末にとって大いに有益となるアップリンク通信で使用されうる。ＳＣ−ＦＤＭＡは現在、３ＧＰＰロングタームエボリューション（ＬＴＥ）、または発展型ＵＴＲＡにおけるアップリンク多元接続スキームについての作業仮説（working assumption）である。
【００１９】
実例的なワイヤレス通信システム
[0025] 図１は、本開示の態様が利用されうるワイヤレス通信ネットワーク１００を示す。
【００２０】
[0026] ワイヤレス通信ネットワーク１００は、ＬＴＥネットワークでありうる。ワイヤレス通信ネットワーク１００は、多数の発展型ノードＢ（ｅＮＢ）１１０および他のネットワークエンティティを含みうる。ｅＮＢは、ユーザ機器デバイス（ＵＥ）と通信する局であり、基地局、ノードＢ、アクセスポイント、等とも呼ばれうる。各ｅＮＢ１１０は、特定の地理的エリアに対して通信カバレッジを提供しうる。３ＧＰＰにおいて、「セル」という用語は、この用語が使用されるコンテキストに依存して、ｅＮＢのカバレッジエリアおよび／またはこのカバレッジエリアにサービングするｅＮＢサブシステムを指すことができる。
【００２１】
[0027] ｅＮＢは、マクロセル、ピコセル、フェムトセル、および／または他のタイプのセルに対して通信カバレッジを提供しうる。マクロセルは、比較的大きい地理的エリア（例えば、半径数キロメートル）をカバーし、サービスに加入しているＵＥによる無制限のアクセスを許可しうる。ピコセルは、比較的小さい地理的エリアをカバーし、サービスに加入しているＵＥによる無制限のアクセスを許可しうる。フェムトセルは、比較的小さい地理的エリア（例えば、家）をカバーし、このフェムトセルとの関連性を有するＵＥ（例えば、クローズド加入者グループ（ＣＳＧ）内におけるＵＥ、家の中にいるユーザのためのＵＥ、等）による制限されたアクセスを許可しうる。マクロセルのためのｅＮＢは、マクロｅＮＢ（すなわち、マクロ基地局）と呼ばれうる。ピコセルのためのｅＮＢは、ピコｅＮＢ（すなわち、ピコ基地局）と呼ばれうる。フェムトセルのためのｅＮＢは、フェムトｅＮＢ（すなわち、フェムト基地局）またはホームｅＮＢと呼ばれうる。図１に示された例において、ｅＮＢ１１０ａ、１１０ｂ、および１１０ｃは、それぞれ、マクロセル１０２ａ、１０２ｂ、および１０２ｃのためのマクロｅＮＢでありうる。ｅＮＢ１１０ｘは、ピコセル１０２ｘのためのピコｅＮＢでありうる。ｅＮＢ１１０ｙおよび１１０ｚは、それぞれ、フェムトセル１０２ｙおよび１０２ｚのためのフェムトｅＮＢでありうる。ｅＮＢは、１つまたは複数（例えば、３つ）のセルをサポートしうる。
【００２２】
[0028] ワイヤレスネットワーク１００はまた、中継局を含みうる。中継局は、アップストリーム局（例えば、ｅＮＢまたはＵＥ）からデータおよび／または他の情報の送信を受信し、データおよび／または他の情報の送信をダウンストリーム局（例えば、ＵＥまたはｅＮＢ）に送信する局である。中継局はまた、他のＵＥのための送信を中継するＵＥでありうる。図１に示された例において、中継局１１０ｒは、ｅＮＢ１１０ａとＵＥ１２０ｒとの間での通信を容易にするためにｅＮＢ１１０ａおよびＵＥ１２０ｒと通信しうる。中継局はまた、中継ｅＮＢ、リレー、等と呼ばれうる。
【００２３】
[0029] ワイヤレスネットワーク１００は、異なるタイプのｅＮＢ、例えば、マクロｅＮＢ、ピコｅＮＢ、フェムトｅＮＢ、リレー、等を含む異機種ネットワーク（ＨｅｔＮｅｔ）でありうる。これらの異なるタイプのｅＮＢは、ワイヤレスネットワーク１００内において、異なる送信電力レベル、異なるカバレッジエリア、および干渉に対する異なる影響を有しうる。例えば、マクロｅＮＢが高い送信電力レベル（例えば、２０ワット）を有しうるのに対して、ピコｅＮＢ、フェムトｅＮＢ、およびリレーは、より低い送信電力レベル（例えば、１ワット）を有しうる。
【００２４】
[0030] ワイヤレスネットワーク１００は、同期または非同期動作をサポートしうる。同期動作の場合、ｅＮＢは、同様のフレームタイミングを有し、異なるｅＮＢからの送信は、時間内において近似的にアライン（approximately aligned in time）されうる。非同期動作の場合、ｅＮＢは、異なるフレームタイミングを有し、異なるｅＮＢからの送信は、時間内においてアラインされない可能性がある。本明細書において説明される技法は、同期および非同期動作の両方のために使用されうる。
【００２５】
[0031] ネットワークコントローラ１３０は、ｅＮＢのセットに結合され、これらのｅＮＢに対して協調および制御を提供しうる。ネットワークコントローラ１３０は、バックホールを介してｅＮＢ１１０と通信しうる。ｅＮＢ１１０はまた、例えば、ワイヤレスまたはワイヤラインバックホールを介して直接的にまたは間接的に互いに通信しうる。
【００２６】
[0032] ＵＥ１２０は、ワイヤレスネットワーク１００全体を通して分散され、各ＵＥは、固定式または移動式でありうる。ＵＥはまた、端末、移動局、加入者ユニット、局、等と呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、等でありうる。ＵＥは、マクロｅＮＢ、ピコｅＮＢ、フェムトｅＮＢ、リレー、等と通信することができうる。図１において、両矢印を有する実線は、ＵＥとサービングｅＮＢとの間での所望の送信を示し、サービングｅＮＢは、ダウンリンクおよび／またはアップリンク上でＵＥにサービスを提供するよう指定されたｅＮＢである。両矢印を有する破線は、ＵＥとｅＮＢとの間での干渉送信を示す。ある特定の態様の場合、ＵＥは、ＬＴＥリリース１０ＵＥを備えうる。
【００２７】
[0033] ＬＴＥは、ダウンリンク上において直交周波数分割多重化（ＯＦＤＭ）を、アップリンク上においてシングルキャリア周波数分割多重化（ＳＣ−ＦＤＭ）を利用する。ＯＦＤＭおよびＳＣ−ＦＤＭは、システム帯域幅を複数（Ｋ個）の直交サブキャリアに区分し、直交サブキャリアは一般に、トーン、ビン、等とも呼ばれる。各サブキャリアは、データで変調されうる。概して、変調シンボルは、周波数ドメイン内においてＯＦＤＭで、時間ドメイン内においてＳＣ−ＦＤＭで送られる。隣接サブキャリア間の間隔は固定され、サブキャリアの総数（Ｋ個）は、システム帯域幅に依存しうる。例えば、Ｋは、１．２５、２．５、５、１０、または２０メガヘルツ（ＭＨｚ）のシステム帯域幅に対して、それぞれ、１２８、２５６、５１２、１０２４、または２０４８に等しくなりうる。システム帯域幅はまた、サブバンドに区分されうる。例えば、サブバンドは、１．０８ＭＨｚをカバーし、１．２５、２．５、５、１０、または２０ＭＨｚのシステム帯域幅に対して、それぞれ、１、２、４、８、または１６のサブバンドが存在しうる。
【００２８】
[0034] 本開示の態様は、あるネットワークエンティティから別のネットワークエンティティに情報をシグナリングするために利用されうる。例えば、そのような態様は、ＵＥ１２０のうちのいずれかからサービングｅＮＢ１１０に情報をシグナリングするために使用されうる。
【００２９】
[0035] 図２は、ＬＴＥにおいて使用されるフレーム構造を示す。ダウンリンクのための送信タイムラインは、無線フレームのユニットに区分されうる。各無線フレームは、所定の持続時間（例えば、１０ミリ秒（ｍｓ））を有し、０〜９のインデックスを有する１０のサブフレームに区分されうる。各サブフレームは、２つのスロットを含みうる。各無線フレームは、したがって、０〜１９のインデックスを有する２０のスロットを含みうる。各スロットは、Ｌ個のシンボル期間、例えば、（図２において示されるように）通常のサイクリックプレフィックスの場合はＬ＝７個のシンボル期間、または拡張されたサイクリックプレフィックスの場合はＬ＝６個のシンボル期間を含みうる。各サブフレーム内における２Ｌ個のシンボル期間は、０〜２Ｌ−１のインデックスを割り当てられうる。利用可能な時間周波数リソースは、リソースブロックに区分されうる。各リソースブロックは、１つのスロット内においてＮ個のサブキャリア（例えば、１２のサブキャリア）をカバーしうる。
【００３０】
[0036] ＬＴＥにおいて、ｅＮＢは、ｅＮＢ内の各セルに対してプライマリ同期信号（ＰＳＳ）およびセカンダリ同期信号（ＳＳＳ）を送りうる。プライマリおよびセカンダリ同期信号は、図２において示されるように、通常のサイクリックプレフィックスを有する各無線フレームのサブフレーム０および５の各々内のシンボル期間６および５において、それぞれ、送られうる。同期信号は、セル検出および獲得のためにＵＥによって使用されうる。ｅＮＢは、サブフレーム０のスロット１内のシンボル期間０〜３において物理ブロードキャストチャネル（ＰＢＣＨ）を送りうる。ＰＢＣＨは、ある特定のシステム情報を搬送しうる。
【００３１】
[0037] ｅＮＢは、図２において示されるように、各サブフレームの最初のシンボル期間において物理制御フォーマットインジケータチャネル（ＰＣＦＩＣＨ）を送りうる。ＰＣＦＩＣＨは、制御チャネルのために使用されるシンボル期間の数（Ｍ個）を伝達し、ここにおいて、Ｍは、１、２、または３に等しく、サブフレームごとに変化しうる。Ｍはまた、例えば、１０未満のリソースブロックを有する、小さなシステム帯域幅では、４に等しくなりうる。ｅＮＢは、（図２において示されないが）各サブフレームの最初のＭ個のシンボル期間において、物理ＨＡＲＱインジケータチャネル（ＰＨＩＣＨ）および物理ダウンリンク制御チャネル（ＰＤＣＣＨ）を送りうる。ＰＨＩＣＨは、ハイブリッド自動再送要求（ＨＡＲＱ）をサポートするために情報を搬送しうる。ＰＤＣＣＨは、ＵＥに対するリソース割り振りに関する情報と、ダウンリンクチャネルのための制御情報とを搬送しうる。ｅＮＢは、各サブフレームの残りのシンボル期間において物理ダウンリンク共有チャネル（ＰＤＳＣＨ）を送りうる。ＰＤＳＣＨは、ダウンリンク上におけるデータ送信のためにスケジュールされたＵＥのためのデータを搬送しうる。ＬＴＥにおける様々な信号およびチャネルは、「Evolved Universal Terrestrial Radio Access (E-UTRA); Physical Channels and Modulation」と題された、３ＧＰＰ ＴＳ ３６．２１１に説明されており、これは、公に入手可能である。
【００３２】
[0038] ｅＮＢは、ｅＮＢによって使用されるシステム帯域幅の中心１．０８ＭＨｚにおいてＰＳＳ、ＳＳＳ、およびＰＢＣＨを送りうる。ｅＮＢは、ＰＣＦＩＣＨおよびＰＨＩＣＨを、これらのチャネルが送られる各シンボル期間において、システム帯域幅全体にわたって送りうる。ｅＮＢは、システム帯域幅のある特定の部分においてＵＥのグループにＰＤＣＣＨを送りうる。ｅＮＢは、システム帯域幅の特定の部分において特定のＵＥにＰＤＳＣＨを送りうる。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また特定のＵＥにユニキャスト方式でＰＤＳＣＨを送りうる。
【００３３】
[0039] 多数のリソース要素が、各シンボル期間内において利用可能でありうる。各リソース要素は、１つのシンボル期間において１つのサブキャリアをカバーし、１つの変調シンボルを送るために使用され、その変調シンボルは、実数値または複素数値でありうる。実数値または複素数値は、情報のうちの１つまたは複数のビットを明示的に伝達するために使用されうる。以下においてさらに詳細に説明されるように、本開示のある特定の態様によると、情報はまた、送信のために使用されたある特定のリソースの選択（例えば、直交カバーコードまたはサイクリックシフト）を介して暗黙的に（implicitly）伝達されうる。
【００３４】
[0040] 各シンボル期間において基準信号のために使用されないリソース要素は、リソース要素グループ（ＲＥＧ）にアレンジされ（arranged）うる。各ＲＥＧは、１つのシンボル期間内に４つのリソース要素を含みうる。ＰＣＦＩＣＨは、４つのＲＥＧを占有し、それらは、シンボル期間０において、周波数にわたってほぼ均等に間隔が空けられうる。ＰＨＩＣＨは、３つのＲＥＧを占有し、それらは、１つまたは複数の構成可能なシンボル期間において、周波数にわたって拡散されうる。例えば、ＰＨＩＣＨのための３つのＲＥＧは、全てシンボル期間０に属すか、またはシンボル期間０、１、および２において拡散されうる。ＰＤＣＣＨは、最初のＭ個のシンボル期間において、９、１８、３２、または６４のＲＥＧを占有し、それらは、利用可能なＲＥＧから選択されうる。ＲＥＧのある特定の組み合わせのみが、ＰＤＣＣＨに対して許可されうる。
【００３５】
[0041] ＵＥは、ＰＨＩＣＨおよびＰＣＦＩＣＨのために使用される特定のＲＥＧを知りうる。ＵＥは、ＰＤＣＣＨのためのＲＥＧの異なる組み合わせを探索しうる。探索すべき組み合わせの数は典型的に、ＰＤＣＣＨに対して許可される組み合わせの数よりも少ない。ｅＮＢは、ＵＥが探索するであろう組み合わせのいずれかにおいてＵＥにＰＤＣＣＨを送りうる。
【００３６】
[0042] 本開示の現在の態様は、ダウンリンク送信中に通信のために利用されうる。例えば、そのような態様は、ＰＤＣＣＨ、ＰＤＳＣＨ、または他のダウンリンクチャネルでｅＮＢ１１０からＵＥ１２０に情報を通信するために使用されうる。
【００３７】
[0043] 図２Ａは、ＬＴＥにおけるアップリンクのための典型的なフォーマット２００Ａを示す。アップリンクのための利用可能なリソースブロックは、データセクションおよび制御セクションに区分されうる。制御セクションは、システム帯域幅の両端において形成され、構成可能なサイズを有しうる。制御セクション内のリソースブロックは、制御情報の送信のためにＵＥに割り当てられうる。データセクションは、制御セクション内に含まれない全てのリソースブロックを含みうる。図２Ａにおける設計は、連続するサブキャリアを含むデータセクションをもたらし、それは、データセクション内の連続するサブキャリアの全てが単一のＵＥに割り当てられることを許可しうる。
【００３８】
[0044] ＵＥは、ｅＮＢに制御情報を送信するために、制御セクション内のリソースブロックを割り当てられうる。ＵＥはまた、ｅＮＢにデータを送信するために、データセクション内のリソースブロックを割り当てられうる。ＵＥは、制御セクション内の割り振られたリソースブロック上の物理アップリンク制御チャネル（ＰＵＣＣＨ）２１０ａ、２１０ｂで制御情報を送信しうる。ＵＥは、データセクション内の割り当てられたリソースブロック上の物理アップリンク共有チャネル（ＰＵＳＣＨ）２２０ａ、２２０ｂでデータのみまたはデータと制御情報との両方を送信しうる。アップリンク送信は、図２Ａにおいて示されるようにサブフレームの両方のスロットにまたがり、周波数にわたってホッピングしうる。
【００３９】
[0045] 本開示の態様は、制御セクション内の割り当てられたリソースブロック上での制御情報の送信中に利用されうる。本開示の態様はまた、データセクション内の割り当てられたリソースブロック上での制御情報またはデータ情報の送信中に利用されうる。
【００４０】
[0046] ＵＥは、複数のｅＮＢのカバレッジ内に存在しうる。これらのｅＮＢのうちの１つは、そのＵＥにサービスを提供するために選択されうる。サービングｅＮＢは、受信電力、経路損失、信号対雑音比（ＳＮＲ）、等のような様々な基準に基づいて選択されうる。
【００４１】
[0047] ＵＥは、ＵＥが１つまたは複数の干渉ｅＮＢからの高い干渉を観測しうる、支配的な干渉シナリオ（a dominant interference scenario）において動作しうる。支配的な干渉シナリオは、制限された関連付けに起因して生じうる。例えば、図１において、ＵＥ１２０ｙは、フェムトｅＮＢ１１０ｙの近くにあり、ｅＮＢ１１０ｙに対して高い受信電力を有しうる。しかしながら、ＵＥ１２０ｙは、制限された関連付けに起因してフェムトｅＮＢ１１０ｙにアクセスすることができない可能性があり、その後、（図１において示すように）より低い受信電力を有するマクロｅＮＢ１１０ｃまたは（図１において示されない）同じくより低い受信電力を有するフェムトｅＮＢ１１０ｚに接続しうる。ＵＥ１２０ｙは、その後、ダウンリンク上においてフェムトｅＮＢ１１０ｙからの高い干渉を観測し、また、アップリンク上においてｅＮＢ１１０ｙに対して高い干渉を引き起こしうる。
【００４２】
[0048] 支配的な干渉シナリオはまた、範囲拡張に起因して生じうるが、それは、ＵＥが、ＵＥによって検出された全てのｅＮＢの中でより低い経路損失とより低いＳＮＲとを有するｅＮＢに接続するシナリオである。例えば、図１において、ＵＥ１２０ｘは、マクロｅＮＢ１１０ｂおよびピコｅＮＢ１１０ｘを検出し、ｅＮＢ１１０ｘに対してｅＮＢ１１０ｂよりも低い受信電力を有しうる。それにもかかわらず、ｅＮＢ１１０ｘに対する経路損失がマクロｅＮＢ１１０ｂに対する経路損失よりも低い場合、ＵＥ１２０ｘがピコｅＮＢ１１０ｘに接続することが望まれうる。これは、ＵＥ１２０ｘのための所与のデータレートに関してワイヤレスネットワークに対するより少ない干渉をもたらしうる。
【００４３】
[0049] 一態様において、支配的な干渉シナリオにおける通信は、異なるｅＮＢを異なる周波数帯域上において動作させることによってサポートされうる。周波数帯域は、通信のために使用されうる周波数の範囲であり、（ｉ）中心周波数および帯域幅、または（ｉｉ）より下位周波数およびより上位周波数（a lower frequency and an upper frequency）によって与えられうる。周波数帯域はまた、帯域、周波数チャネル、等と呼ばれうる。異なるｅＮＢのための周波数帯域は、強いｅＮＢがそれのＵＥと通信することを許可しながら、ＵＥが支配的な干渉シナリオにおいてより弱いｅＮＢと通信することができるように選択されうる。ｅＮＢは、ＵＥにおいて受信されたｅＮＢからの信号の受信電力に基づいて（および、ｅＮＢの送信電力レベルには基づかずに）「弱い（weak）」ｅＮＢまたは「強い（strong）」ｅＮＢとして分類されうる。
【００４４】
[0050] 図３は、基地局またはｅＮＢ１１０およびＵＥ１２０の設計のブロック図であり、それらは、図１における基地局／ｅＮＢのうちの１つおよびＵＥのうちの１つでありうる。制限された関連付けシナリオの場合、ｅＮＢ１１０は、図１におけるマクロｅＮＢ１１０ｃであり、ＵＥ１２０は、ＵＥ１２０ｙでありうる。ｅＮＢ１１０はまた、何らかの他のタイプの基地局でありうる。ｅＮＢ１１０は、Ｔ個のアンテナ３３４ａ〜３３４ｔを装備され、ＵＥ１２０は、Ｒ個のアンテナ３５２ａ〜３５２ｒを装備されえ、ここにおいて、概して、Ｔ≧１およびＲ≧１である。
【００４５】
[0051] ｅＮＢ１１０では、送信プロセッサ３２０は、データソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。送信プロセッサ３２０は、データシンボルおよび制御シンボルをそれぞれ取得するために、データおよび制御情報を処理（例えば、符号化およびシンボルマッピング）しうる。送信プロセッサ３２０はまた、例えば、ＰＳＳ、ＳＳＳ、およびセル固有の基準信号のための基準シンボルを生成しうる。送信（ＴＸ）複数入力複数出力（ＭＩＭＯ）プロセッサ３３０は、適用可能な場合、データシンボル、制御シンボル、および／または基準シンボルに対して空間処理（例えば、プリコーディング）を遂行し、Ｔ個の変調器（ＭＯＤ）３３２ａ〜３３２ｔにＴ個の出力シンボルストリームを提供しうる。各変調器３３２は、出力サンプルストリームを取得するために（例えば、ＯＦＤＭ、等のための）それぞれの出力シンボルストリームを処理しうる。各変調器３３２はさらに、ダウンリンク信号を取得するために、出力サンプルストリームを処理（例えば、アナログに変換、増幅、フィルタリング、およびアップコンバート）しうる。変調器３３２ａ〜３３２ｔからのＴ個のダウンリンク信号は、それぞれＴ個のアンテナ３３４ａ〜３３４ｔを介して送信されうる。
【００４６】
[0052] ＵＥ１２０では、アンテナ３５２ａ〜３５２ｒは、ｅＮＢ１１０からダウンリンク信号を受信し、受信された信号をそれぞれ復調器（ＤＥＭＯＤ）３５４ａ〜３５４ｒに提供しうる。各復調器３５４は、入力サンプルを取得するために、それぞれの受信された信号を調整（例えば、フィルタリング、増幅、ダウンコンバート、およびデジタル化）しうる。各復調器３５４はさらに、受信されたシンボルを取得するために、（例えば、ＯＦＤＭ、等のための）入力サンプルを処理しうる。ＭＩＭＯ検出器３５６は、全てのＲ個の復調器３５４ａ〜３５４ｒから受信されたシンボルを取得し、適用可能な場合、受信されたシンボルに対してＭＩＭＯ検出を遂行し、検出されたシンボルを提供しうる。受信プロセッサ３５８は、検出されたシンボルを処理（例えば、復調、デインタリーブ、および復号）し、ＵＥ１２０のための復号されたデータをデータシンク３６０に提供し、復号された制御情報をコントローラ／プロセッサ３８０に提供しうる。
【００４７】
[0053] アップリンク上において、ＵＥ１２０では、送信プロセッサ３６４は、データシンボルおよび制御シンボルを生成するためにデータソース３６２から（例えば、ＰＵＳＣＨのための）データを、コントローラ／プロセッサ３８０から（例えば、ＰＵＣＣＨのための）制御情報を受信および処理しうる。送信プロセッサ３６４はまた、基準信号のための基準シンボルを生成しうる。送信プロセッサ３６４からのシンボルは、適用可能な場合にはＴＸ ＭＩＭＯプロセッサ３６６によってプリコーディングされ、さらに（例えば、ＳＣ−ＦＤＭ、等のために）変調器３５４ａ〜３５４ｒによって処理され、ｅＮＢ１１０に送信されうる。ｅＮＢ１１０では、ＵＥ１２０からのアップリンク信号は、ＵＥ１２０によって送られた復号されたデータおよび制御情報を取得するために、アンテナ３３４によって受信され、復調器３３２によって処理され、適用可能な場合にはＭＩＭＯ検出器３３６によって検出され、受信プロセッサ３３８によってさらに処理されうる。受信プロセッサ３３８は、復号されたデータをデータシンク３３９に、復号された制御情報をコントローラ／プロセッサ３４０に提供しうる。
【００４８】
[0054] コントローラ／プロセッサ３４０および３８０は、それぞれｅＮＢ１１０およびＵＥ１２０における動作を指示しうる。ｅＮＢ１１０における、コントローラ／プロセッサ３４０、受信プロセッサ３３８、および／または他のプロセッサとモジュールとは、図５における動作５００および／または本明細書において説明される技法のための他の処理を遂行または指示しうる。ＵＥ１２０における、コントローラ／プロセッサ３８０、送信プロセッサ３６４、および／または他のプロセッサとモジュールとは、図４における動作４００および／または本明細書において説明される技法のための他の処理を遂行または指示しうる。メモリ３４２および３８２は、それぞれ、ｅＮＢ１１０およびＵＥ１２０のためのデータおよびプログラムコードを記憶しうる。スケジューラ３４４は、ダウンリンクおよび／またはアップリンク上でのデータ送信のためにＵＥをスケジューリングしうる。
【００４９】
シグナリングのためにアップリンクシーケンスシフトを利用する例  
[0055] 図１において例示されているシステムのような、ＬＴＥワイヤレス通信システムにおいて、ＵＥは、サウンディング基準信号（ＳＲＳ：sounding reference signals）および他のアップリンク（ＵＬ）基準信号をｅＮＢに送信しうる。ＵＬ基準信号は、信号が２つのリソースブロック（ＲＢ）よりも大きい場合にザアドフ・チュー（Ｚａｄｏｆｆ−Ｃｈｕ）・シーケンス（Zadoff-Chu sequence）に基づき、１つまたは２つのＲＢの信号に対するコンピュータ生成シーケンス（ＣＧＳ：computer generated sequence）に基づく。例えば、図１におけるＵＥ１２０のようなＵＥが送信のために使用するための４つのＲＢの割り当てを受信し、４つのＲＢでＳＲＳを送信するよう決定する場合、ＵＥは、ＳＲＳを生成するためにザアドフ・チュー・シーケンスを使用しうる。この例において、割り当てが２つのＲＢのみである場合、ＵＥは、ＳＲＳを生成するためにＣＧＳを使用しうる。加えて、グループ・ホッピング、シーケンス・シフティングおよびシーケンス・ホッピングは、ＵＬ基準信号においてサポートされる。グループ・ホッピング、シーケンス・シフティング、およびシーケンス・ホッピングは、「Evolved Universal Terrestrial Radio Access (E-UTRA); Physical Channels and Modulation」と題された、３ＧＰＰ ＴＳ ３６．２１１に説明されており、これは、公に入手可能である。
【００５０】
[0056] 複数のＵＥは、位相基準を物理アップリンク制御チャネル（ＰＵＣＣＨ）または物理アップリンク共有チャネル（ＰＵＳＣＨ）信号の復調に対して提供するためにそれらが送信する復調基準信号（ＤＭ−ＲＳ：demodulation reference signals）をＰＵＣＣＨおよびＰＵＳＣＨ内に埋め込みうる。ＤＭ−ＲＳはまた、「Evolved Universal Terrestrial Radio Access (E−UTRA); Physical Channels and Modulation」と題された、３ＧＰＰ ＴＳ ３６．２１１に説明されており、これは、公に入手可能である。ＵＥによって送信されるＤＭ−ＲＳは、ＵＥのサービングｅＮＢおよび他のパラメータによって送信されたコマンドに基づいてサイクリックシフトされうる。例えば、合計で１２の可能なＤＭ−ＲＳのサイクリックシフトが存在しうる。ＵＥによって送信されるべきＤＭ−ＲＳのサイクリックシフトは、任意の適したシグナリングメカニズムまたはシグナリングメカニズムの組み合わせによって（例えば、サービングｅＮＢから）ＵＥに示されうる。
【００５１】
[0057] ある特定の態様によると、ＵＥによって送信されるべきＤＭ−ＲＳのサイクリックシフトは、パラメータ ｎ＿ＤＭ−ＲＳ＿１の使用によってＵＥに示され、そのパラメータは、上位レイヤシグナリング（例えば、ＲＲＣシグナリング）によって提供されたサイクリックシフトパラメータでありうる。例えば、ｅＮＢは、ＵＥがサイクリックシフト２を使用してＤＭ−ＲＳを送信すべきであることを示すためにＲＲＣシグナリングを使用しうる。
【００５２】
[0058] ある特定の態様によると、ＵＥによって送信されるべきＤＭ−ＲＳのサイクリックシフトは、パラメータ ｎ＿ＤＭ−ＲＳ＿２の使用によってＵＥに示され、そのパラメータは、ＵＬ送信をスケジュールする直近のダウンリンク制御情報（ＤＣＩ）によって提供されたサイクリックシフトパラメータでありうる。例えば、ＵＥに送信されたＰＤＵＣＣＨは、許可された送信リソースでＤＭ−ＲＳを送信する場合にＵＥによって使用されるべきサイクリックシフトを示す値（例えば、３）にｎ＿ＤＭ−ＲＳ＿２を設定するスケジューリング許可（a scheduling grant）を含むＤＣＩを伝達しうる。
【００５３】
[0059] ある特定の態様によると、ＵＥによって送信されるべきＤＭ−ＲＳのサイクリックシフトは、セルによって生成された疑似ランダム雑音（ＰＮ）シーケンスによってＵＥに示されうる。例えば、セルは、セルのサービスを提供されるＵＥによって使用されるべき追加のセル固有のシフトを示すために、ＰＮシーケンスを生成し、そのＰＮシーケンスを送信しうる。
【００５４】
[0060] 加えて、サウンディング基準信号（ＳＲＳ）チャネルは、奇数および偶数のコーム（combs）、すなわち、ＳＲＳを送信するために割り当てられたＲＢ内の奇数および偶数のトーン上での送信、を利用しうる。例えば、ＵＥは、ＳＲＳを送信するために２つのサブフレームの各々内に１つのＲＢを割り当てられ、第１のサブフレーム内のＲＢのトーン０、２、４、６、８、および１０上でＳＲＳを送信し、第２のサブフレーム内のＲＢのトーン１、３、５、７、９、および１１上でＳＲＳを送信しうる。
【００５５】
[0061] いくつかのフォーマットは、ＰＵＣＣＨ送信のために定義される。ＰＵＣＣＨフォーマット１、１ａ、および１ｂは、スケジューリング要求（ＳＲ）および肯定応答（ＡＣＫ）のために使用される。ＰＵＣＣＨフォーマット２は、チャネル品質インジケータ（ＣＱＩ）のために使用される。ＰＵＣＣＨフォーマット２ａおよび２ｂは、ＡＣＫおよびＣＱＩの両方のために使用され、ＰＵＣＣＨフォーマット３は、大きなＰＵＣＣＨペイロードのために使用される。ＰＵＣＣＨフォーマットは、「Evolved Universal Terrestrial Radio Access (E-UTRA); Physical Channels and Modulation」と題された、３ＧＰＰ ＴＳ ３６．２１１に説明されており、これは、公に入手可能である。
【００５６】
[0062] ある特定のＰＵＣＣＨフォーマット（例えば、１／１ａ／１ｂ／２／２ａ／２ｂ）の場合、ＵＥは、サイクリックシフトされたコンピュータ生成シーケンス（ＣＧＳ）を使用してＰＵＣＣＨを拡散しうる。ＵＥは、サービングｅＮＢによって、使用するためのＣＧＳおよびサイクリックシフトをシグナリングされうる。ＣＧＳは、０から１１まで番号付けされた、最大１２のサイクリックシフトを用いて使用されうる。例えば、ｅＮＢは、サイクリックシフト０を、第１の、サービスを提供されるＵＥに、サイクリックシフト６を、第２の、サービスを提供されるＵＥに割り当てうる。この例において、第１のＵＥは、サイクリックシフト０を使用してＣＧＳで拡散されたフォーマット１ａのＰＵＣＣＨを送信し、受信ｅＮＢは、サイクリックシフト０を使用してＣＧＳで受信された信号を逆拡散し（despread）、ｅＮＢは、サイクリックシフト０を使用するＣＧＳでの逆拡散が成功したためにそのＰＵＣＣＨが第１のＵＥによってもたらされた（came from）ことを決定しうる。
【００５７】
[0063] ＰＵＣＣＨフォーマット３の場合、変調シンボルは、ＳＣ−ＦＤＭＡ波形生成の前に直交シーケンスで拡散される。例えば、ｅＮＢは、非周期的ＣＳＩレポートを送信するようＵＥに要求し、非周期的ＣＳＩレポートを送信するための直交シーケンスのサイクリックシフト４をＵＥに割り当てうる。この例において、ＵＥは、非周期的ＣＳＩレポートを生成し、フォーマット３のＰＵＣＣＨの一部としてそのレポートをフォーマットし、ＰＵＣＣＨから変調シンボルを生成しうる。この例において、ＵＥは、その後、変調シンボルからＳＣ−ＦＤＭＡ波形を生成する前に、割り当てられた直交シーケンスのサイクリックシフト４を使用して変調シンボルを拡散しうる。
【００５８】
[0064] 加えて、フォーマット１、１ａ、または１ｂのＰＵＣＣＨを送信する場合、追加の直交コードが使用されうる。追加の直交コードは、任意の適したシグナリングメカニズムまたはシグナリングメカニズムの組み合わせによって示されうる。
【００５９】
[0065] ある特定の態様によると、ＵＥは、フォーマット１、１ａ、または１ｂのＰＵＣＣＨを送信する場合にサブフレームの各スロットにおいて３つのパイロットシンボルを拡散しうる。ＵＥは、離散フーリエ変換（ＤＦＴ）のサイズ３の拡散（size 3 spreading）を使用して３つのパイロットシンボルを拡散しうる。ＵＥは、３つのパイロットシンボルを拡散するにあたりどのサイズ３のどのＤＦＴを使用すべきかのインジケーションを受信しうる。例えば、ｅＮＢは、第１のサイズ３の第１のＤＦＴを使用してフォーマット１、１ａ、または１ｂのＰＵＣＣＨにおいてＵＥがパイロットシンボルを拡散すべきであるということを示すＲＲＣシグナリングを送信しうる。
【００６０】
[0066] ある特定の態様によると、ＵＥは、フォーマット１、１ａ、または１ｂのＰＵＣＣＨを送信する場合にサブフレームの各スロットにおいて４つのデータシンボルを拡散しうる。ＵＥは、ウォルシュカバーシーケンスを使用して３つのデータシンボルを拡散しうる。ＵＥは、４つのデータシンボルを拡散するにあたりどのウォルシュカバーシーケンスを使用すべきかのインジケーションを受信しうる。例えば、ｅＮＢは、第１のウォルシュカバーシーケンスを使用してフォーマット１、１ａ、または１ｂのＰＵＣＣＨにおいてＵＥがデータシンボルを拡散すべきであるということを示すＲＲＣシグナリングを送信しうる。
【００６１】
[0067] ＬＴＥワイヤレス通信システムにおいて、最大１２人のユーザが（例えば、異なるサイクリックシフトを各ユーザに割り当てることによって）ＰＵＣＣＨフォーマット２／２ａ／２ｂに関してサポートされ、最大３６人のユーザが（例えば、サイクリックシフトとＤＦＴとの異なる組み合わせを各ユーザに割り当てることによって）フォーマット１／１ａ／１ｂに関してサポートされることができる。実際には、送信するＵＥ間における干渉を低減するために、隣接サイクリックシフトが使用されないように、より少ないユーザがサポートされる。
【００６２】
[0068] 図１において例示されているシステムのような、ＬＴＥワイヤレス通信システムでの低コストのマシンタイプ通信（ＭＴＣ）ＵＥの使用のための技法は、本開示の態様内において説明される。標準のＵＥとは対照的に、低コストのＭＴＣ ＵＥは、低減された最大帯域幅、単一受信ＲＦチェーン、より低いピークデータレート、低減された送信電力、および半二重動作を有しうる。いくつかのＵＥは、マシンタイプ通信（ＭＴＣ）ＵＥであると考慮されうるが、それらは、センサ、メータ、ロケーションタグ、等のような遠隔デバイスを含みうる。
【００６３】
[0069] 本開示のある特定の態様によると、ユーザ機器（例えば、ＭＴＣデバイス）は、情報を基地局（例えば、ｅＮＢ）に伝達またはシグナリングするためにリソースを使用しうる（そうでない場合そのリソースは未使用のままであろう）。言い換えれば、情報は、リソースの実際に選択において符号化され、送信の変調シンボル内で符号化された１つまたは複数のビットとして明示的に伝達される代わりに、暗黙的に伝達されうる。例として、情報の２ビットは、４つの異なるリソースのセットからの特定のリソースの選択によって符号化されうる。基地局は、例えば、情報の異なる値への選択されたリソースのマッピングに基づいてこの情報を解釈することができうる。
【００６４】
[0070] 例えば、ＵＬ送信に関して、セル内に部分負荷（partial loadin）が存在する（すなわち、ＵＥの最大数よりも少ないＵＥが特定の時間間隔の間に送信しているであろう）場合、基地局（例えば、ｅＮＢ）は、ある特定のリソースを、その基地局によってサービスを提供されているＵＥに割り当てる必要はない可能性がある。そのようなケースにおいて、未使用のシフトまたは未使用の直交カバーのような、残りのリソース（すなわち、基地局が割り当てる必要がなかったリソース）は、本開示のある特定の態様にしたがって、（暗黙的に）情報を伝達するためにまたはシグナリングのために使用されうる。
【００６５】
[0071] ある特定の態様によると、永続的なスケジューリングは、ＭＴＣで使用される。ＭＴＣでの永続的なスケジューリングの使用は、ＭＴＣで動的スケジューリングを使用することと比較して送信およびスケジューリングオーバヘッドを節約しうる。本開示のある特定の態様によると、ＭＴＣデバイスは、ＭＴＣデバイスのトラフィックのニーズに基づいて、基地局に送信する場合に使用するためのデータレートを自律的に選択しうる。ＭＴＣデバイスの永続的にスケジューリングされた送信リソースに対する変更を必要とすることなしに、ＭＴＣデバイスは、より大きいペイロードを送信するためにＭＴＣデバイスの送信データを増加させる、またはより小さいペイロードを送信するためにそれの送信データレートを低下させることができるため、データレートを自律的に選択することによって、ＭＴＣデバイスは、ペイロードサイズの変化の問題に対処しうる。ＭＴＣデバイスがそれ自身のレートを選択する場合に、ＭＴＣデバイスはまた、ＭＴＣデバイスによって選択されたレートをサービングｅＮＢにシグナリングする必要がありうる。そうでない場合、サービングｅＮＢは、選択されたレートを決定し、ＭＴＣデバイスから送信を受信するためにブラインド検出を遂行する必要があるであろう。
【００６６】
[0072] シグナリングのためにＵＬシーケンスシフトを利用することに関する第１のスキームにおいて、セル内に利用可能な（すなわち、既にＵＥに割り振られていない）ＤＭ−ＲＳシフト、ＰＵＣＣＨシフト、直交カバーコード（ＯＣＣ）またはＳＲＳのリソースが存在する場合、送信のためにＵＥをスケジューリングするときにｅＮＢがＵＥに割り当てるリソースに加えて、ｅＮＢは、それら残りのリソースのうちのいくつかを送信のためにスケジューリングされたＵＥに割り当てることができる。結果として、ＵＥによるこれらのリソースからの特定の選択は、情報をｅＮＢに伝達するために使用されうる。
【００６７】
[0073] 本開示のある特定の態様によると、干渉に関する情報、アンテナ構成に関する情報、チャネル状態情報（ＣＳＩ）、好ましいＴＤＤ構成に関する情報、ノード検出に関する情報、電力レベル情報、（複数の送信時間間隔（ＴＴＩ：transmission time interval）バンドリングサイズがサポートされる場合には）バンドルサイズ情報、冗長バージョン（ＲＶ：redundancy version）情報、または送信データレートのような、幅広い様々な情報がシグナリングされうる。
【００６８】
[0074] ある特定の態様によると、干渉に関する情報を伝達（すなわち、シグナリング）する場合、特定のリソースを選択することは、ＤＬ干渉条件の変化を伝達しうる。例えば、ｅＮＢは、サイクリックシフト０および１をＵＥに割り当て、ＵＥは、ＤＬ干渉の減少または変化なしを伝達するためにサイクリックシフト０を使用してＰＵＣＣＨを送信しうる。この例において、ＵＥは、サイクリックシフト１を使用してＰＵＣＣＨを送信することによってＤＬ干渉条件の増加を伝達しうる。
【００６９】
[0075] ある特定の態様によると、特定のリソースを選択することは、近隣のＵＥから受信される干渉のような、強化された干渉軽減およびトラフィック適応（ｅＩＭＴＡ：enhanced interference mitigation and traffic adaptation）に関する条件を伝達しうる。例えば、ｅＮＢは、サイクリックシフト０および１をＵＥに割り当て、ＵＥは、近隣のＵＥからほとんどまたは全く干渉が受信されていないことを伝達するためにサイクリックシフト０を使用してＰＵＣＣＨを送信しうる。この例において、ＵＥは、サイクリックシフト１を使用してＰＵＣＣＨを送信することによって干渉が近隣のＵＥから受信されていることを伝達しうる。
【００７０】
[0076] ある特定の態様によると、アンテナ情報に関する情報を伝達（すなわち、シグナリング）する場合、アンテナ選択ダイバーシティが使用されるのであれば、特定のリソースを選択することは、ＵＥの送信アンテナインデックスを伝達しうる。例えば、ｅＮＢは、サイクリックシフト２および３をＵＥに割り当て、ＵＥは、ＵＥが送信アンテナインデックス０を使用していることを伝達するためにサイクリックシフト２を使用してＰＵＣＣＨを送信しうる。この例において、ＵＥは、サイクリックシフト３を使用してＰＵＣＣＨを送信することによってＵＥが送信アンテナインデックス１を使用していることを伝達しうる。
【００７１】
[0077] ある特定の態様によると、特定のリソースを選択することは、アンテナの数がＵＥによって適合され（adapted）うる場合、使用された受信／送信アンテナの数を伝達しうる。例えば、ＵＥは、特定のワイヤレスプロトコル、例えば、ＬＴＥ対ＷｉＦｉ（登録商標）対キャリアアグリゲーション（ＣＡ）、等をサポートするためにＵＥが使用するアンテナの数を適合させ（adapt）うる。この例において、ｅＮＢは、サイクリックシフト２および３をＵＥに割り当て、ＵＥは、サイクリックシフト２を使用してＤＭ−ＲＳを送信することによってＬＴＥを受信する４つのアンテナを、またはサイクリックシフト３を使用してＤＭ−ＲＳを送信することによってＬＴＥを受信する２つのアンテナとＷｉＦｉ（登録商標）を受信する２つのアンテナとを、ＵＥが有することを伝達しうる。
【００７２】
[0078] ある特定の態様によると、ＣＳＩレポーティングをシグナリングする場合に特定のリソースを選択することは、ランク情報の変化および／またはサブバンド選好（subband preference）を伝達（すなわち、シグナリング）しうる。例えば、ｅＮＢは、サイクリックシフト２、３、および４をＵＥに割り当て、ＵＥは、ＵＥに送信するためにｅＮＢによって使用されたランクがサイクリックシフト２を使用してＣＳＩレポートを送信することによって減少するという選好を伝達しうる。この例において、ＵＥは、ＵＥに送信するためにｅＮＢによって使用されたランクがサイクリックシフト３を使用してＣＳＩレポートを送信することによって増加するという選好を伝達しうる、またはＵＥは、ランクが、サイクリックシフト４を使用してＣＳＩレポートを送信することによって変化しないままであるという選好を伝達しうる。
【００７３】
[0079] ある特定の態様によると、特定のリソースを選択することは、好ましいＴＤＤ構成を伝達（すなわち、シグナリング）しうる。これは特に、ｅＩＭＴＡにとって有用でありうる。例えば、ｅＮＢは、サイクリックシフト２および３をＵＥに割り当て、ＵＥは、サイクリックシフト２を使用してＰＵＣＣＨを送信することによって最大のＤＬサブフレームを有するＴＤＤ構成に対する選好を伝達しうる。この例において、ＵＥは、サイクリックシフト３を使用してＰＵＣＣＨを送信することによって最小のＤＬサブフレームを有するＴＤＤに対する選好を伝達しうる。ＴＤＤ構成は、「Evolved Universal Terrestrial Radio Access (E-UTRA); Physical Channels and Modulation」と題された、３ＧＰＰ ＴＳ ３６．２１１に説明されており、これは、公に入手可能である。
【００７４】
[0080] ある特定の態様によると、特定のリソースを選択することは、小さなセル動作における近隣ノードの検出を伝達（すなわち、シグナリング）、またはデバイス間（Ｄ２Ｄ：device-to-device）動作における近隣デバイスの検出を伝達しうる。例えば、ｅＮＢは、サイクリックシフト０および１をＵＥに割り当て、ＵＥは、ＵＥが近隣の小さなセル（例えば、フェムトノード）を検出したことを伝達するためにサイクリックシフト０を使用してＰＵＣＣＨを送信しうるが、一方で、ＵＥは、ＵＥがサイクリックシフト１を使用してＰＵＣＣＨを送信することによって近隣の小さなセルを検出していないことを伝達しうる。
【００７５】
[0081] ある特定の態様によると、特定のリソースを選択することは、ＵＥが最大電力であるかどうかまたは電力節約、に対するＵＥの選好を伝達しうる。例えば、ｅＮＢは、サイクリックシフト２および３をＵＥに割り当て、ＵＥは、サイクリックシフト２を使用してＰＵＣＣＨを送信することによって電力節約モードで動作することに対する選好を伝達しうるが、一方で、ＵＥは、サイクリックシフト３を使用してＰＵＣＣＨを送信することによって非電力節約モードで動作することに対する選好を伝達しうる。第２の例において、ｅＮＢは、サイクリックシフト０および１をＵＥに割り当て、ＵＥは、ＵＥが最大電力で送信しており、それの送信電力を増加させることができないことを伝達するためにサイクリックシフト０を使用してＰＵＣＣＨを送信しうるが、一方で、サイクリックシフト１を使用してＰＵＣＣＨを送信することは、ＵＥがそれの送信電力を増加させることができることを伝達しうる。
【００７６】
[0082] ある特定の態様によると、特定のリソースを選択することはまた、異なるトラフィック対パイロット比（ＴＰＲ：traffic to pilot ratio）が使用されるであろう場合にＴＲＰをシグナリングしうる。例えば、ｅＮＢは、サイクリックシフト２、３および４をＵＥに割り当て、ＵＥは、ＵＥがサイクリックシフト２を使用してＤＭ−ＲＳを送信することによってＴＲＰを変更しないであろうことを伝達しうる。この例において、ＵＥは、ＵＥがサイクリックシフト３を使用してＤＭ−ＲＳを送信することによってＴＰＲを次により高いＴＰＲに増加させるであろうことを伝達し、および、ＵＥは、ＵＥがサイクリックシフト４を使用してＤＭ−ＲＳを送信することによってＴＰＲを次により低いＴＰＲに低下させるであろうことを伝達しうる。
【００７７】
[0083] ある特定の態様によると、複数のＴＴＩバンドリングサイズがサポートされる場合、特定のリソースを選択することは、特定のＴＴＩバンドリングサイズを伝達（すなわち、シグナリング）しうる。このバンドリングサイズは、それらが、例えば、ＭＴＣに対してサポートされる場合にＰＵＳＣＨ ＴＴＩバンドリングおよび／またはＰＵＣＣＨ ＴＴＩバンドリングに適用可能でありうる。例えば、第１のリソースを選択することは、ＵＥが２つのＴＴＩバンドリングサイズで送信しているであろうことを伝達しうるが、一方で、第２のリソースを選択することは、ＵＥが４つのＴＴＩバンドリングサイズで送信しているであろうことを伝達しうる。
【００７８】
[0084] ある特定の態様によると、特定のリソースを選択することは、送信が標準のＲＶシーケンス（例えば、０、２、３、１）の後に続かない場合に、アップリング送信のＲＶを伝達しうる。例えば、ｅＮＢは、サイクリックシフト２および３をＵＥに割り当て、ＵＥは、送信のＲＶが、サイクリックシフト２を使用して送信することによって標準のＲＶシーケンスの後に続いていることを伝達しうるが、一方で、ＵＥは、ＵＥが、サイクリックシフト３を使用して送信することによってシーケンスのうちの１つのエントリをスキップしたこと（例えば、アップリンク送信は標準的に、ＲＶ２でありうるが、ＵＥは、ＲＶ２をスキップし、アップリンク送信は、ＲＶ３である）を伝達しうる。
【００７９】
[0085] 本開示の態様によると、特定のリソースの選択によって、ＵＥによって送られた信号をサービングｅＮＢが正しく解釈するように、シフトによって伝達またはシグナリングされる情報へのシフト（または他のタイプのリソース）のマッピングをシグナリングすることに対する複数のオプションが存在する。
【００８０】
[0086] ある特定の態様によると、上位レイヤシグナリングは、シフトによって伝達またはシグナリングされる情報へのシフトのマッピング（mapping of shifts to information）を示す。例えば、ｅＮＢは、ＵＥがサイクリックシフト０を使用してＰＵＣＣＨを送信することによって特定のアンテナ構成を伝達またはシグナリングし、および、ＵＥがサイクリックシフト１を使用してＰＵＣＣＨを送信することによって異なるアンテナ構成をシグナリングしうることを示すためにＲＲＣシグナリングを使用しうる。
【００８１】
[0087] ある特定の態様によると、永続的なシグナリングの初期の許可（initial grant）における信号は、シフトによって伝達またはシグナリングされる情報にシフトをマッピングする。例えば、ｅＮＢは、ＵＥがサイクリックシフト０を使用して半永続的に許可されたリソース上でＰＵＣＣＨを送信することによってランク２の送信を受信することができることを、ＵＥがｅＮＢにシグナリングし、および、ＵＥがサイクリックシフト１を使用して半永続的に許可されたリソース上でＰＵＣＣＨを送信することによってランク１の送信を受信することができることを、ＵＥがｅＮＢにシグナリングしうることを、ＵＥに対する半永続的な許可において示しうる。
【００８２】
[0088] ある特定の態様によると、ｅＮＢは、シフトによって伝達またはシグナリングされる情報へのシフトのマッピングを示すために動的シグナリングを使用しうる。例えば、ｅＮＢは、ＵＥがサイクリックシフト０を使用してＰＵＣＣＨを送信することによってＴＰＲを減少させるであろうことを、ＵＥがｅＮＢにシグナリングし、および、ＵＥがサイクリックシフト１を使用してＰＵＣＣＨを送信することによってＴＰＲを増加させるであろうことを、ＵＥがｅＮＢにシグナリングしうることを、ＰＤＣＣＨにおいて示しうる。
【００８３】
[0089] ある特定の態様によると、シフトによって伝達またはシグナリングされる情報へのシフトのマッピングは静的に、通信仕様（communications specification）において特定（例えば、予め定義）されうる。例えば、明細書（specification）は、ＵＥが２つのサイクリックシフトを割り当てられることができることを特定し得、ＵＥは、第１の割り当てられたサイクリックシフトを使用することによる近隣の小さなセルの検出をシグナリングし、第２の割り当てられたサイクリックシフトを使用することによって小さなセルが検出されないことをシグナリングする。この例において、ｅＮＢが２つのサイクリックシフトを、サービスを提供されたＵＥに割り当てた場合、ＵＥは、ＵＥが近隣の小さなセルを検出した場合に第１のサイクリックシフトを使用して送信し、受信ｅＮＢは、第１のサイクリックシフトを使用して送信が送信されたことを検出することに基づいて近隣の小さなセルをＵＥが検出したことを決定するであろう。
【００８４】
[0090] 図４は、本開示のある特定の態様にしたがって、ユーザ機器によって遂行されうる実例的な動作４００を例示する。４０２では、ＵＥは、アップリンクチャネルを送信するために使用される１つまたは複数のサイクリックシフトまたは直交カバーコードを選択し得、ここにおいて、１つまたは複数のサイクリックシフトまたは直交カバーコードは、情報を伝達するために選択される。４０４では、ＵＥは、選択されたサイクリックシフトまたは直交カバーコードを使用してアップリンクチャネルを送信することによって情報を伝達しうる。
【００８５】
[0091] 図５は、本開示のある特定の態様にしたがって、基地局（ＢＳ）によって遂行されうる実例的な動作５００を例示する。動作５００は、ＵＥによって遂行される動作４００に相補的でありうる。５０２では、ＢＳは、アップリンクチャネルを送信するためにＵＥによって使用された１つまたは複数のサイクリックシフトまたは直交カバーコードを検出しうる。５０４では、ｅＮＢは、検出されたサイクリックシフトまたは直交カバーコードに基づいて、アップリンクチャネルで伝達される情報を識別しうる。
【００８６】
[0092] ある特定の態様によると、ｅＮＢは、永続的な割り当てを使用することによってＰＤＣＣＨ／ｅＰＤＣＣＨ動的シグナリングオーバヘッドを節約することができる。永続的な割り当てを使用する場合、ＵＥは、例えば、ペイロードサイズに基づいて、永続的に割り当てられた送信リソースにおけるＵＬ送信のための送信レートを選択することを許可されうる。例えば、ＵＥは、永続的な割り当てにおいて割り当てられたのと同じＲＢサイズを維持し、および、ペイロードサイズにしたがってＭＣＳを変更しうる（例えば、ＵＥが送信するためのデータをより多く有する場合により速いレートでデータを伝達する変調およびコーディングスキーム（ＭＣＳ）を使用する）。情報を伝達（すなわち、シグナリング）するためにＵＬシーケンスシフトを利用するための第２のスキームにおいて、ＵＥは、特定のシフトを送信することによって、選択された送信レートおよび／または変調およびコーディングスキーム（ＭＣＳ）をシグナリングしうる。ＵＥが選択しうるレートのセットは、ＵＥからデータを受信する場合にｅＮＢによって遂行されたブラインド復号の数が初期の割り当てにおいて提供されたレートのセットに制限されうるようにその初期の割り当てによって提供されうる。
【００８７】
[0093] ある特定の態様によると、未使用のＤＭ−ＲＳは、異なるレートにマッピングされうる、すなわち、特定のＤＭ−ＲＳパターンの選択は、対応するレートの選択を伝達する。例えば、ＵＥは、ＤＭ−ＲＳシーケンスの第１のサイクリックシフトを使用してＤＭ−ＲＳを送信することによって第１の送信レートを伝達（すなわち、シグナリング）し、ＵＥは、ＤＭ−ＲＳシーケンスの第２のサイクリックシフトを使用してＤＭ−ＲＳを送信することによって第２の送信レートを伝達またはシグナリングしうる。この例において、ＵＥは、サービングｅＮＢからの半永続的な許可において２つのＤＭ−ＲＳサイクリックシフトへの２つの送信レートのマッピングを提供されうる。
【００８８】
[0094] ある特定の態様によると、ＵＥは、トラフィック要件に依存して送信レートを選択しうる。ＵＥは、選択された送信レートを伝達またはシグナリングするためにＵＬ送信に異なるＤＭ−ＲＳシフトおよび／または直交カバーコード（ＯＣＣ）を適用しうる。例えば、ＵＥは、第１のＤＭ−ＲＳサイクリックシフトおよび第１のＯＣＣをＵＬ送信に適用することによってＵＥが第１の送信レートでＵＬ送信を送信していることを伝達またはシグナリングしうる。この例において、ＵＥは、第１のＤＭ−ＲＳサイクリックシフトおよび第２のＯＣＣを使用することによって第２の送信レートを、第２のＤＭ−ＲＳサイクリックシフトおよび第１のＯＣＣを使用することによって第３の送信レートを、および第２のＤＭ−ＲＳサイクリックシフトおよび第２のＯＣＣを使用することによって第４の送信レートをシグナリングしうる。
【００８９】
[0095] ある特定の態様において、異なるシフトおよび／または異なるＯＣＣを選択することは暗黙的に、異なる仮想セル識別子（ＶＣＩ：virtual cell identifier）を示しうる。例えば、ｅＮＢは、サイクリックシフト２および３をＵＥに割り当て、ＵＥは、サイクリックシフト２を使用してＰＵＳＣＨを送信することによってＰＵＳＣＨがセルの第１の仮想セル識別子を対象にする（directed to）ことを伝達し、および、ＵＥは、サイクリックシフト３を使用してＰＵＳＣＨを送信することによってＰＵＳＣＨがセルに関連付けられたセルの第２の仮想セル識別子（例えば、協調マルチポイント（coordinated multi-point）（ＣｏＭＰ）動作に関連付けられたＶＣＩ）を対象にすることを伝達しうる。
【００９０】
[0096] ある特定の態様において、異なるシフトおよび／または異なるＯＣＣを選択することは、コーディングタイプ、例えば、テールバイティング畳み込みコーディング（ＴＢＣＣ：tail-biting convolution coding）またはターボコーディング（ＴＣ：turbo coding）の選択を伝達する。例えば、ｅＮＢは、サイクリックシフト０および１をＵＥに割り当て、ＵＥは、ＵＬ送信においてサイクリックシフト０を使用してＤＭ−ＲＳを送信することによってＵＬ送信がＴＢＣＣを使用することを伝達（すなわち、シグナリング）しうる。この例において、ＵＥは、ＵＬ送信においてサイクリックシフト１を使用してＤＭ−ＲＳを送信することによってＵＬ送信がＴＣを使用することをシグナリングしうる。
【００９１】
[0097] ある特定の態様によると、マルチユーザ複数入力複数出力（ＭＵ−ＭＩＭＯ）動作がセルによってサポートされない場合、ＭＵ−ＭＩＭＯのためにリザーブされたシフトは、ＭＵ−ＭＩＭＯのために使用されない可能性があり、ｅＮＢは、ＵＥによって使用されるレートを伝達またはシグナリングするために未使用のＭＵ−ＭＩＭＯシフトのうちの１つまたは複数を使用するようＵＥにシグナリングすることができる。例えば、セルにおいてＭＵ−ＭＩＭＯをサポートしていないｅＮＢは、第１のＭＵ−ＭＩＭＯシフトを使用して送信することによってＵＥが第１の送信レートの使用をシグナリングすることができ、および、第２のＭＵ−ＭＩＭＯシフトを使用して送信することによってＵＥが第２の送信レートの使用をシグナリングすることができることを、ＵＥにシグナリングし得る。
【００９２】
[0098] ある特定の態様によると、ＭＵ−ＭＩＭＯがセルによってサポートされる場合、ｅＮＢは、ＵＥが、使用されるレートを伝達またはシグナリングするために未使用の（すなわち、ＭＵ−ＭＩＭＯ可能なＵＥに割り当てられていない）ＭＵ−ＭＩＭＯシフトをＵＥに割り当てることができる。例えば、ＭＵ−ＭＩＭＯをサポートしているｅＮＢは、ＵＥが最初にｅＮＢに接続する場合にＭＵ−ＭＩＭＯシフトをＵＥに割り当てることができる。この例において、ｅＮＢは、割り当てられたＭＵ−ＭＩＭＯシフトで送信することによってＵＥが第１の送信レートの使用を伝達することができることをＵＥにシグナリングすることができ、および、ｅＮＢは、ｅＮＢが任意の他のＵＥに割り当てていない第２のＭＵ−ＭＩＭＯシフトで送信することによって第２の送信レートの使用を伝達するためにＵＥにシグナリングすることができる。
【００９３】
[0099] ある特定の態様によると、ＨＡＲＱがＵＬの自律的なレート選択においてサポートされる場合、同じレートインジケーションが再送信において使用されることができるが、ＵＥは、サイクリックシフトがサブフレームの関数であるという事実に起因して異なるサイクリックシフトを使用している可能性がある。例えば、ＵＥは、サブフレーム中にレートＡ、Ｂ、およびＣに対応するサイクリックシフト０、１、および２を割り当てられ、ＵＥが送信するためにレートＢを使用したことを伝達（すなわち、シグナリング）するためにサイクリックシフト１を使用して送信しうる。この例において、ＵＥは、ｅＮＢから否定応答（ＮＡＫ）を受信し、別のサブフレームでデータを再送信するよう要求されうる。この例において、ＵＥは、他のサブフレームにおいてサイクリックシフト４、５、および６を割り当てられ、ＵＥは、ＵＥが再送信のためにレートＢを使用したことを伝達またはシグナリングするためにサイクリックシフト５を使用して送信しうる。
【００９４】
[0100] ある特定の態様によると、ＨＡＲＱがＵＬの自律的なレート選択においてサポートされる場合、レートインジケーションは、例えば、新しいデータインジケータ（ＮＤＩ：new data indicator）が送信内においてアクティブであるまたは設定される場合、新しい送信に対してのみ適用可能でありうる。例えば、ＵＥは、第１のサブフレーム中にサイクリックシフト０、１、および２を割り当てられ、ＰＵＳＣＨを送信するために使用される特定のレートを伝達するためにサイクリックシフト１を使用して設定されたＮＤＩを有するＰＵＳＣＨを送信しうる。この例において、ＵＥは、ｅＮＢから否定応答（ＮＡＫ）を受信し、第２のサブフレームでＰＵＳＣＨを再送信するよう要求されうる。この例において、ＵＥは、第２のサブフレーム内にサイクリックシフト４、５、および６を割り当てられ、ＵＥは、設定されていないＮＤＩを有するサイクリックシフト４を使用して、およびＵＥが第１のサブフレームで使用したのと同じレートを使用して、ＰＵＳＣＨを再送信しうる。この例において、ｅＮＢは、ＮＤＩが設定されていないことを検出し、第２のサブフレームで送信する際にＵＥが使用したサイクリックシフトにかかわらず、第１のサブフレームでＵＥが使用したのと同じレートを使用して再送信を受信し得る。
【００９５】
[0101] ある特定の態様によると、ｅＮＢは、リソースブロック（ＲＢ）の永続的な割り当てと変調およびコーディングスキーム（ＭＣＳ）のセットとをＵＥに提供しうる。ｅＮＢはまた、ＭＣＳへのＤＭ−ＲＳシフトおよび／またはＯＣＣのマッピングをＵＥに提供しうる。例えば、ｅＮＢは、永続的な割り当てをＵＥに送信し、ＭＣＳ２または３を使用して全ての偶数番号のフレームのサブフレーム４上で送信するようＵＥをスケジューリングしうる。この例において、ｅＮＢは、ＵＥが、永続的な割り当てにおいて第１のＭＣＳを使用する場合にＤＭ−ＲＳシフト３を、および永続的な割り当てにおいて第２のＭＣＳを使用する場合にＤＭ−ＲＳシフト４を、使用すべきであるということを示すマッピングを送信しうる。この例において、ＵＥは、フレーム２０２のサブフレーム４でＰＵＳＣＨを送信し、それがシフト３を使用してＤＭ−ＲＳを送信することによってＭＣＳ２を使用して送信していることを伝達し、ＵＥは、それがシフト４を使用してＤＭ−ＲＳを送信することによってＭＣＳ３を使用して送信していることを伝達しうる。
【００９６】
[0102] ある特定の態様によると、レートセット（すなわち、ＭＣＳのセット）およびシフト（例えば、ＤＭ−ＲＳシフトおよび／またはＯＣＣ）マッピングは、上位レイヤシグナリングによってｅＮＢとＵＥとの間でシグナリングされうる。例えば、ｅＮＢは、ＵＥに対するレートセットおよびシフトマッピングをＲＲＣシグナリングによってシグナリングしうる。
【００９７】
[0103] ある特定の態様によると、レートセットおよびシフトマッピング（a rate set and shifts mapping）は、永続的なシグナリングの初期の許可によってｅＮＢとＵＥとの間でシグナリングされうる。例えば、ｅＮＢは、半永続的なスケジューリング許可（a semi-persistent scheduling grant）を伝達するＰＤＳＣＨをＵＥに送信し、その許可は、レートセットおよびシフトマッピングを含みうる。
【００９８】
[0104] ある特定の態様によると、レートセットおよびシフトマッピングは、動的シグナリングによってｅＮＢとＵＥとの間でシグナリングされうる。例えば、ｅＮＢは、許可を伝達するＰＤＣＣＨをＵＥに送信し、ＰＤＣＣＨは、レートセットおよびシフトマッピングを含みうる。第２の例において、ｅＮＢは、半永続的なスケジューリング許可をＵＥに伝達し、１つまたは複数の後の時点において半永続的な許可に適用可能なレートセットおよびシフトマッピングを含むＰＤＣＣＨを送信しうる。
【００９９】
[0105] 上述された第１および第２の提案されたスキームは、アップリンクシグナリングを強化するために通信システムによって個々にまたは一緒にサポートされうる。例えば、通信システムは、全ての、サービスを提供されるＵＥのための小さなセルの検出に関する情報を伝達するために第１のスキームを実装し、ＭＴＣデバイスがシステムに接続した後、ＭＴＣデバイスによる使用のために第２のスキーム（すなわち、レートセットおよびシフトマッピング）を使用し始める。
【０１００】
[0106] ある特定の態様によると、そのような特徴を可能にすることは、ＵＥベースごとに（a per UE basis）またはセルベースごとに（per cell basis）行われることができる。シグナリングは、したがって、（例えば、ブロードキャストまたは専用シグナリングを介して）ＵＥ固有またはセル固有であることができる。例えば、セルは、第１のＵＥが４つのレートのうちの１つの選択を伝達またはシグナリングすることを許可するために第１のＵＥに４つのシフトを割り当て、そのセルは、第２のＵＥが２つのレートのうちの１つの選択を伝達またはシグナリングすることを許可するために第２のＵＥに２つのシフトを割り当てうる。
【０１０１】
[0107] 上述された方法の様々な動作は、図面において例示されたミーンズプラスファンクションブロックに対応する様々なハードウェアおよび／またはソフトウェア／ファームウェアコンポーネントおよび／またはモジュールによって遂行されうる。本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネントあるいは本明細書で説明された機能を遂行するよう設計されたそれらの任意の組み合わせを用いて実装または遂行されうる。汎用プロセッサは、マイクロプロセッサでありうるが、代替において、プロセッサは、任意の市販のプロセッサ、コントローラ、マイクロコントローラまたはステートマシンでありうる。プロセッサはまた、計算デバイスの組み合わせ、例えば、ＤＳＰおよびマイクロプロセッサ、複数のマイクロプロセッサ、ＤＳＰコアと連携した１つまたは複数のマイクロプロセッサ、または任意の他のそのような構成の組み合わせとして実装されうる。
【０１０２】
[0108] 本開示に関連して説明された方法またはアルゴリズムのステップは、直接的にハードウェアにおいて、プロセッサによって実行されたソフトウェア／ファームウェアモジュールにおいて、またはそれらの組み合わせにおいて具現化されうる。ソフトウェア／ファームウェアモジュールは、当該技術分野において知られる任意の形態の記憶媒体内に存在しうる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ、等を含む。ソフトウェア／ファームウェアモジュールは、単一の命令、または多くの命令を備え、いくつかの異なるコードセグメントにわたって、異なるプログラム間において、および複数の記憶媒体にわたって、分散されうる。記憶媒体は、プロセッサが記憶媒体から情報を読み取り、記憶媒体に情報を書き込むことができるように、プロセッサに結合されうる。代替において、記憶媒体は、プロセッサと一体化されうる。
【０１０３】
[0109] 本明細書において開示された方法は、説明された方法を達成するための１つまたは複数のステップまたは動作を備える。方法のステップおよび／または動作は、特許請求の範囲から逸脱することなしに互いに置き換えられうる。言い換えれば、ステップまたは動作の特有の順序が規定されない限り、特有のステップおよび／または動作の順序および／または使用は、特許請求の範囲から逸脱することなしに修正されうる。
【０１０４】
[0110] 説明された機能は、ハードウェア、ソフトウェア／ファームウェア、またはそれらの任意の組み合わせにおいて実装されうる。ソフトウェア／ファームウェアにおいて実装される場合、機能は、コンピュータ可読媒体上に１つまたは複数の命令として記憶されうる。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。
【０１０５】
[0111] ソフトウェア／ファームウェア命令はまた、送信媒体を通して送信されうる。例えば、ソフトウェア／ファームウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、送信媒体の定義に含まれる。
【０１０６】
[0112] さらに、本明細書で説明された方法および技法を遂行するためのモジュールおよび／または他の適切な手段は、ダウンロードされることができる、および／または、そうでなければ、適用可能な場合にユーザ端末および／または基地局によって取得されることができることが認識されるべきである。例えば、そのようなデバイスは、本明細書で説明された方法を遂行するための手段の転送を容易にするためにサーバに結合されることができる。代替として、本明細書で説明された様々な方法は、デバイスに記憶手段を結合または提供することによりユーザ端末および／または基地局が様々な方法を取得できるように、記憶手段（例えば、ＲＡＭ、ＲＯＭ、コンパクトディスク（ＣＤ）またはフロッピー（登録商法）ディスクのような物理記憶媒体、等）を介して提供されることができる。その上、本明細書で説明された方法および技法をデバイスに提供するための任意の他の適した技法が利用されることができる。
【０１０７】
[0113] 特許請求の範囲が、上に例示されたまさにその構成およびコンポーネントに限定されないことは、理解されるべきである。様々な修正、変更、および変形は、特許請求の範囲から逸脱することなしに上述された方法および装置の配置、動作および詳細内においてなされうる。
【０１０８】
[0114] 前述の内容が本開示の実施形態を対象としている一方、本開示の他のおよびさらなる実施形態は、その基本的な範囲から逸脱することなしに考案されえ、その範囲は、次の特許請求の範囲によって決定される。
【図１】
2016519912.tif 000003
【図２】
2016519912.tif 000004
【図２Ａ】
2016519912.tif 000005
【図３】
2016519912.tif 000006
【図４】
2016519912.tif 000007
【図５】
2016519912.tif 000008
【国際調査報告】
2016519912.tif 000009
2016519912.tif 000010